(57)【要約】      （修正有）【課題】構造が簡潔化になり、組付作業が便利になり、且つ予定の断裂し易いポイントは確実に断裂できる高圧ガスレギュレーター用自動遮断装置の提供。【解決手段】ガス鋼製瓶体のスイッチ用出口継ぎ手と、連接ツマミと、ブッシュと、玉と、バネと、押えピンと、レギュレータの入り口管体とを含む高圧ガスレギュレータ用自動遮断装置において、出口継ぎ手と連接ツマミとの間の内部にはブッシュが設けてあり、ブッシュの他端はレギュレータの入り口管体と接続し、且つブッシュの内部には前段穴と後段穴とが開設してあり、前段穴と後段穴との間には中央穴が開設してあり、押えピンは後端がバネに圧制されてブッシュとレギュレータの入り口管体との間に定位し、押えピンの前端が玉を押えて玉とブッシュにある中央穴との間にギャップが形成され、ブッシュのレギュレータと接続する部位の近傍に凹部が設けてある。【選択図】図６
0003117058.tif 000002
【実用新案登録請求の範囲】
【請求項１】
ガス鋼製瓶体のスイッチ用出口継ぎ手と、連接ツマミと、ブッシュと、玉と、バネと、押えピンと、レギュレータの入り口管体とを含む高圧ガスレギュレータ用自動遮断装置において、
前記出口継ぎ手と連接ツマミとの間の内部にはブッシュが設けてあり、
前記ブッシュの他端はレギュレータの入り口管体と接続し、且つ前記ブッシュの内部には前段穴と後段穴とが開設してあり、
前記前段穴と後段穴との間には中央穴が開設してあり、
前記前段穴内にはフィルターが固定してあり、玉が設けられ、
前記後段穴内には、一つのバネと、前記中央穴までバネを挿通した押えピンとが設けてあり、
前記押えピンは後端がバネに圧制されてブッシュとレギュレータの入り口管体との間に定位し、前記押えピンの前端が玉を押えて前記玉とブッシュにある中央穴との間にギャップが形成され、
前記ブッシュのレギュレータと接続する部位の近傍に凹部が設けてあり、
前記凹部はガス鋼製瓶体のスイッチとレギュレータとの間の断裂し易いポイントであり、前記凹部が断裂すると、押えピンが玉から離脱して玉が中央穴を密封することを特徴とする、
高圧ガスレギュレータ用自動遮断装置。
【考案の詳細な説明】
【技術分野】
【０００１】
本考案は、高圧ガスレギュレータ用自動遮断装置に係り、特に、ブッシュの一端がガス鋼製瓶体のスイッチの出口継ぎ手と接続し、ブッシュの他端がレギュレータの入り口管体と接続し、ブッシュのレギュレータと接続する部位の近傍に凹部が設けてあり、前記凹部はガス鋼製瓶体のスイッチとレギュレータとの接続する箇所の断裂し易いポイントであり、前記ブッシュ内には中央穴が開設してあり、中央穴内には玉と押えピンとが設けてあり、前記押えピンは、後端がレギュレータの入り口管体内に定位され、前端が前記玉を押え、これにより、前記玉と中央穴との間にはギャップがあり、高圧ガスが開状態である場合には、ガス鋼製瓶体とレギュレータとが連通状態であり、だが、前記凹部が断裂したと、押えピンが玉から離脱して玉が中央穴を密封し、高圧ガスの漏れを防止する高圧ガスレギュレータ用自動遮断装置に関するものである。
【背景技術】
【０００２】
まず、図１を参照する。従来のガス鋼製瓶体は出口にスイッチ１が設けてあり、前記スイッチ１は、内部に貫通孔１１が開設してあり、上端にツマミ１２が設けてあり、これにより、ガス鋼製瓶体を開閉することができ、前記スイッチ１の出口には内ねじ１３を有する出口継ぎ手１４が設けてあり、レギュレータ２の一端にある連接ツマミ２１の螺旋２２が前記出口継ぎ手１４にねじ込んで連接し、したがって、ガス鋼製瓶体のスイッチ１のツマミ１２を開にした時に、ガス鋼製瓶体内の高圧ガスがスイッチ１内の貫通孔１１を経由して出口継ぎ手１４を経てレギュレータ２内に進入して、レギュレータ２の他端と接続するガスホース２０を経由してガス炉に流入すると、ガスを燃料として料理することができる。
【０００３】
前記レギュレータ２のスイッチ１と脱着自在に連接する連接ツマミ２１の内部にはブッシュ２３が設けてあり、前記ブッシュ２３は、内部には中央穴２４が開設してあり、出口継ぎ手１４に対応する貫通孔１１の内部にはパッキン２５が設けてあり、前記中央穴２４にはバネ２５０で支えるフィルター２５１が設けてあり、前記ブッシュ２３の後端はレギュレータ２の本体の入り口管体２６に形成された段階段２７と連接する。
【０００４】
しかしながら、前記段階段２７は、構造と材質とにより、ガス鋼製瓶体のスイッチ１とレギュレータ２との間のもっとも弱い箇所であり、すなわち、断裂し易い箇所であり、したがって、運搬や地震などの外力を受けたと、前記段階段２７が断裂し易く、且つレギュレータ２（「防爆器」を含み）の遮断ポイントは前記段階段２７の下流側のレギュレータ２の本体の内部に位置するので、前記段階段２７が断裂したとガスが外部に漏れ出し、レギュレータ２は何の防爆やガス漏れ防止機能も発揮できない。
【０００５】
また、図２乃至図４を参照する。上記課題を解決するためになされた従来のものは、ガス鋼製瓶体のスイッチ１とレギュレータ２との間に位置し連接ツマミ２１の内部に設置されたブッシュ２３を有し、前記ブッシュ２３の尾端に固定スリーブ５が固定してあり、前記固定スリーブ５の他端がレギュレータ２の本体の入り口管体２６と結合し、前記ブッシュ２３の内部の中央穴２４に設けたフィルター２５１の後ろ方には一つの玉４が設けてあり、前記玉４は押えピン３の一端に押えて制限され、且つ前記押えピン３の他端には押えピン台３２が固定してあり、前記押えピン台３２は、バネ３１に押えられ、固定スリーブ５の貫通孔５３内に設置され、これにより、前記押えピン３の一端が玉４を制限すると共に、玉４と中央穴２４との間にはギャップがあり、したがって、ガス鋼製瓶体が開状態にした場合には、高圧ガスはレギュレータ２を通過することができ、前記固定スリーブ５の周面には環状溝５４が設けてあり、前記環状溝５４はガス鋼製瓶体のスイッチ１とレギュレータ２と間の断裂し易いポイントであり、図４に示すように、レギュレータ２が外力を受けて断裂し易いポイントで断裂すると、押えピン３がバネ３１に付勢されて外側へ移動し、このとき、スイッチ１が開状態にしたと、高圧ガスの圧力は玉４を圧迫して中央穴２４を閉鎖し、これにより、ガス漏れを有効に防止することができる。
【考案の開示】
【考案が解決しようとする課題】
【０００６】
しかしながら、ガス鋼製瓶体のスイッチ１とレギュレータ２と間に環状溝５４を断裂し易いポイントとすることは、高圧ガス漏れを有効に防止することができるが、全体の構成と材質との原因で、固定スリーブ５をブッシュ５と接続した後、レギュレータ２が外力を受けても、固定スリーブ５の断裂し易いポイントは即時に断裂しないことがあり、特に、固定スリーブ５の断裂箇所は、予定の環状溝５４の代りに、レギュレータ２と接続する一端にある場合には、図５に示すように、前記押えピン３は玉４を持続に押えて制限し、これにより、高圧ガスはブッシュ２３の内部から外部へ漏れ出し続ける。
【課題を解決するための手段】
【０００７】
上記欠点を解決するためになされた本願の考案は、ガス鋼製瓶体のスイッチ用出口継ぎ手と、連接ツマミと、ブッシュと、玉と、バネと、押えピンと、レギュレータの入り口管体とを含む高圧ガスレギュレータ用自動遮断装置において、前記出口継ぎ手と連接ツマミとの間の内部にはブッシュが設けてあり、前記ブッシュの他端はレギュレータの入り口管体と接続し、且つ前記ブッシュの内部には前段穴と後段穴とが開設してあり、前記前段穴と後段穴との間には中央穴が開設してあり、前記前段穴内には、フィルターが固定してあり、玉が設けてあり、前記後段穴内には、一つのバネと、前記中央穴までバネを挿通した押えピンとが設けてあり、前記押えピンは後端がバネに圧制されてブッシュとレギュレータの入り口管体との間に定位し、前記押えピンの前端が玉を押えて前記玉とブッシュにある中央穴との間にギャップが形成され、前記ブッシュのレギュレータと接続する部位の近傍に凹部が設けてあり、前記凹部はガス鋼製瓶体のスイッチとレギュレータとの間の断裂し易いポイントであり、前記凹部が断裂したとき、押えピンが玉から離脱して玉が中央穴を密封することを特徴とする高圧ガスレギュレータ用自動遮断装置であることを要旨としている。
【考案の効果】
【０００８】
本考案に係る高圧ガスレギュレータ用自動遮断装置によれば、構造が簡潔化になり、組付作業が便利になり、且つ予定の断裂し易いポイントは確実に断裂できる。
【考案を実施するための最良の形態】
【０００９】
以下、添付図面を参照して本考案の好適な実施の形態を詳細に説明する。
【実施例】
【００１０】
まず、図６乃至図８を参照する。本考案に係る高圧ガスレギュレータ用自動遮断装置は、ガス鋼製瓶体のスイッチ１用出口継ぎ手１４と、連接ツマミ２１と、ブッシュ６と、玉４と、バネ３１と、押えピン３と、レギュレータ２の入り口管体２６とを含む。
【００１１】
図７に示すように、前記ガス鋼製瓶体のスイッチ１用出口継ぎ手１４と連接ツマミ２１との間の内部にはブッシュ６が設けてあり、前記ブッシュ６の一端にはスイッチ１内の貫通孔１１の周縁を圧迫してガス漏れを防止するためのパッキン２５が設けてあり、且つ前記ブッシュ６の内部には前段穴６１と後段穴６２とが開設してあり、前記前段穴６１と後段穴６２との間にはＯリング６３０を有する中央穴６３が開設してあり、前記中央穴６３の内径は前段穴６１と後段穴６２とよりも小さく、前記前段穴６１内には、バネ２５０に固定されるフィルター２５１が設けてあり、且つ一つの玉４が設けてあり、前記後段穴内６２には、一つのバネ３１と、前記中央穴６３までバネ３１を挿通した押えピン３とが設けてあり、前記押えピンは、中空なものであり、後端がバネ３１に圧制されてブッシュ６の末端とレギュレータ２の入り口管体２６との間に定位し、図８に示すように、前記押えピン３の前端がブッシュ６の前段穴６１に設置された玉４を押えて前記玉４とブッシュ６にある中央穴６３との間にギャップが形成され、前記ブッシュ６の他端はレギュレータ２の入り口管体２６と接続し、前記ブッシュ６のレギュレータ２と接続する部位の近傍に凹部６４が設けてあり、前記凹部６４にＯリング６４０が設けてあり、図７に示すように、前記凹部６４はガス鋼製瓶体のスイッチとレギュレータとの間の断裂し易いポイントである。
【００１２】
上記の構成により、ガス鋼製瓶体のスイッチ１が開状態にしたときに、ガス鋼製瓶体内の高圧ガスがレギュレータ２と連通し、高圧ガスがレギュレータ２で圧力を降下してガス炉に供給する。
【００１３】
また、図９を参照する。本考案は、前記ブッシュ６の凹部６４を断裂し易いポイントとし、ガス鋼製瓶体のスイッチ１とレギュレータ２との間に外力の衝撃を受けたと、前記ブッシュ６の凹部６４が断裂になり、押えピン３がブッシュ６の後段穴６２内に設置されたバネ３１に押えられて玉４から離脱して、前記玉４が高圧ガスに吹かれて中央穴６３を密封し、ガス漏れの効果を達成する。
【００１４】
したがって、本考案に係る高圧ガスレギュレータ用自動遮断装置は、従来のものと比べると、構造が簡潔化になり、組付作業が便利になり、且つ予定の断裂し易いポイントは確実に断裂でき、従来のものの固定スリーブ２５にある環状溝２５１が構造と材質との原因で断裂し難い問題を解決でき、ガス漏れの効果を達成する。
【図面の簡単な説明】
【００１５】
【図１】従来のものの断面図である。
【図２】従来のものの分解斜視図である。
【図３】従来のものの組合状態を示す断面図である。
【図４】従来のものの使用状態を示す概略図である。
【図５】従来のものの他の使用状態を示す概略図である。
【図６】本考案の分解斜視図である。
【図７】本考案の構造の一部を剖開した斜視図である。
【図８】本考案の組合状態を示す断面図である。
【図９】本考案の使用状態を示す概略図である。
【符号の説明】
【００１６】
１        スイッチ                １１      貫通孔
１２      ツマミ                  １３      内ねじ
１４      出口継ぎ手              ２        レギュレータ
２１      連接ツマミ              ２２      螺旋
２０      ガスホース              ２３      ブッシュ
２４      中央穴                  ２５      パッキン
２５０    バネ                    ２５１    フィルター
２６      入り口管体              ２７      段階段
３        押えピン                ３１      バネ
３２      押えピン台              ４        玉
５        固定スリーブ            ５３      貫通孔
５４      環状溝                  ６        ブッシュ
６１      前段穴                  ６２      後段穴
６３      中央穴                  ６３０    Ｏリング
６４      凹部                    ６４０    Ｏリング
【図１】
0003117058.tif 000003
【図２】
0003117058.tif 000004
【図３】
0003117058.tif 000005
【図４】
0003117058.tif 000006
【図５】
0003117058.tif 000007
【図６】
0003117058.tif 000008
【図７】
0003117058.tif 000009
【図８】
0003117058.tif 000010
【図９】
0003117058.tif 000011